(57)【要約】  本発明の課題は、表示画像が枠部分で途切れることによる違和感を軽減し、また、表示情報の欠落を防止することにある。そのために、本発明の携帯端末は、表示画面を囲繞する枠部同士を接するようにして配列された複数の表示装置(３０−１)、(３０−２)と、１つの表示画像を複数の表示装置(３０−１)、(３０−２)の各々の表示画面サイズに合わせて分割し、該分割した表示画像を複数の表示装置(３０−１)、(３０−２)に転送して１つの表示画像を表示させる通常表示モードと、１つの表示画像を、枠部で生じる非表示部分(３１)の画像をスキップして、複数の表示装置(３０−１)、(３０−２)の各々の表示画面サイズに合わせて分割し、該分割した表示画像を複数の表示装置(３０−１)、(３０−２)に転送して１つの表示画像を表示させる補完表示モードとを切り替え可能に実行する画像制御部(３２)とを備えている。
2014097505.tif 000002
【特許請求の範囲】
【請求項１】
表示画面と該表示画面を囲繞する枠部とを有し、該枠部同士を接するようにして配列された複数の表示装置と、  １つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モードと、前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モードとを切り替え可能に実行する画像制御部と  を備えることを特徴とする携帯端末。
【請求項２】
前記画像制御部は、前記補完表示モードで表示している際に、前記枠部に直交する方向へのスライド指示操作があった場合、前記枠部で生じる非表示部分の画像を含む前記１つの表示画像を、前記スライド指示操作に従ってスライドさせることによって、前記枠部で生じる非表示部分の画像を前記複数の表示装置の表示画面で表示させる  ことを特徴とする請求項１に記載の携帯端末。
【請求項３】
前記画像制御部は、前記枠部で生じる非表示部分の画像を含む前記１つの表示画像を、前記スライド指示操作に従ってスライドさせる際に、少なくとも前記枠部で生じる非表示部分の画像分スライドさせる  ことを特徴とする請求項２に記載の携帯端末。
【請求項４】
表示画面と該表示画面を囲繞する枠部とを有し、該枠部同士を接するようにして配列された複数の表示装置で構成される表示画面に対して１つの表示画像を表示する表示制御方法であって、  前記１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モードステップと、  前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モードステップと、  前記通常表示モードステップと前記補完表示モードとステップとを選択的に切り替えるステップと  を含むことを特徴とする表示制御方法。
【請求項５】
表示画面と該表示画面を囲繞する枠部とを有し、該枠部同士を接するようにして配列された複数の表示装置で構成される表示画面に対して１つの表示画像を表示する携帯端末のコンピュータに、  前記１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モード機能、  前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モード機能、  前記通常表示モード機能と前記補完表示モード機能とを選択的に切り替える機能  を実行させることを特徴とするプログラム。
【発明の詳細な説明】
【技術分野】
【０００１】  本発明は、携帯端末、表示制御方法、及びプログラムに関する。
【背景技術】
【０００２】  携帯端末において、大きな画面で表示するために、２つ以上の表示装置を並べることで大きな画面を構成し、該大きな画面を用いて大きな一枚絵として表示する技術が知られている。このような携帯端末において、横一列に並んだ表示装置には枠部分があるため、表示画面同士は枠部分だけ離れることになる。【０００３】  図１１（ａ）、（ｂ）は、２つの表示装置で大きな一枚絵を表示する一例を示す模式図である。例えば、図１１（ａ）に示す大きな１枚絵１００を、単純に２つに分割して表示してしまうと、図１１（ｂ）に示すように、２つの表示装置１１０、１１１が枠部分で離れているために、破線円１２０で示すように、斜めの線が一本の線には見えずに違和感が生じてしまう。これ以外にも、人の顔なども離れながら連続して表示してしまうと違和感が生じてしまう。また、円を左右に分割すると、半円ずつの表示になり楕円に見えてしまう。【０００４】  例えば、特許文献１には、メインの表示装置を中央にして、左右にスライド式に２つの表示装置を引き出し、全部で３つの表示装置で１つの大きな画面を構成する技術が提案されている。該特許文献１では、大きな画面に大きな１枚絵を表示する際に、枠部分で隠れてしまう部分を除去するように、１枚絵からそれぞれの表示装置に表示させるための部分画像を生成し、それぞれの表示装置に表示する。
【先行技術文献】
【特許文献】
【０００５】
【特許文献１】特開２００７−１２４０２５号公報
【発明の概要】
【発明が解決しようとする課題】
【０００６】  上述した特許文献１では、大きな画面に大きな１枚絵を表示する際に、表示装置の枠部分で隠れてしまう部分を除去するように、１枚絵からそれぞれの表示装置に表示させるための部分画像を切り出すため、斜めの線などがずれるなどの違和感はなくなる。しかしながら、枠部分を除去して各表示装置用の画像を生成する必要があるため、画像処理に時間がかかるという問題がある。また、ウェブ画面のように画像データとテキストとが混在するような情報や、テキストのみからなる情報を表示する場合には、枠部分の情報が欠落することで、逆に見づらくなったり、情報を正しく享受できなくなったりするという問題がある。【０００７】  そこで本発明は、表示画像が途切れることによる違和感を軽減することができ、また、表示情報の欠落を防止することができる携帯端末、表示制御方法、及びプログラムを提供することを目的とする。
【課題を解決するための手段】
【０００８】  本発明の携帯端末は、表示画面と該表示画面を囲繞する枠部とを有し、該枠部同士を接するようにして配列された複数の表示装置と、１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モードと、前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モードとを切り替え可能に実行する画像制御部とを備えることを特徴とする携帯端末である。【０００９】  本発明の表示制御方法は、表示画面と該表示画面を囲繞する枠部とを有し、該枠部同士を接するようにして配列された複数の表示装置で構成される表示画面に対して１つの表示画像を表示する表示制御方法であって、前記１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モードステップと、前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モードステップと、前記通常表示モードステップと前記補完表示モードとステップとを選択的に切り替えるステップとを含むことを特徴とする表示制御方法である。【００１０】  本発明のプログラムは、表示画面と該表示画面を囲繞する枠部とを有し、該枠部同士を接するようにして配列された複数の表示装置で構成される表示画面に対して１つの表示画像を表示する携帯端末のコンピュータに、前記１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モード機能、前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モード機能、前記通常表示モード機能と前記補完表示モード機能とを選択的に切り替える機能を実行させることを特徴とするプログラムである。
【発明の効果】
【００１１】  この発明によれば、表示画像が枠部分で途切れることによる違和感を軽減することができ、また、表示情報の欠落を防止することができる。
【図面の簡単な説明】
【００１２】
【図１】本発明の第１実施形態による携帯端末１の構成を示すブロック図である。
【図２】本第１実施形態の携帯端末１の外観を示す模式図である。
【図３】本第１実施形態による、通常表示モード時の表示例を示す模式図である。
【図４】本第１実施形態による、補完表示モード時の表示例を示す模式図である。
【図５】本第１実施形態による、通常表示モード時の表示領域サイズの一例を示す模式図である。
【図６】本第１実施形態による、補完表示モード時の表示領域サイズの一例を示す模式図である。
【図７】本第１実施形態による、補完表示モード時の一表示例を示す模式図である。
【図８】本第１実施形態による携帯端末の動作を説明するためのフローチャートである。
【図９】本第２実施形態によるマルチ画面表示方法（右スライドモード）を説明するための模式図である。
【図１０】本第２実施形態によるマルチ画面表示方法（左スライドモード）を説明するための模式図である。
【図１１】２つの表示装置で大きな一枚絵を表示する一例を示す模式図である。
【図１２】付記１の構成を示すブロック図である。
【発明を実施するための形態】
【００１３】  以下、本発明の実施の形態を、図面を参照して説明する。
【００１４】Ａ．第１実施形態  図１は、本発明の第１実施形態による携帯端末１の構成を示すブロック図である。図において、携帯端末１は、通信制御部１０、ＲＯＭ１１、ＲＡＭ１２、画像制御部１３、表示装置１４−１、１４−２、キー入力部１５、及びＣＰＵ１６から構成されている。通信制御部１０は、後述するＣＰＵ１６の制御の下、音声通信や、データ通信を行う。ＲＯＭ１１は、後述するＣＰＵ１６によって実行されるプログラムや、プログラムの実行で必要とされる各種パラメータなどを記憶する。ＲＡＭ１２は、ＣＰＵ１６のプログラム実行に伴って発生する各種データや、一時的に保持するデータ、書き換え可能なデータなどを記憶する。なお、上記ＲＯＭ１１、ＲＡＭ１２は、フラッシュメモリ等の書き換え可能な不揮発性メモリであってもよい。
【００１５】  画像制御部１３は、後述するＣＰＵ１６の制御の下、表示装置１４−１、１４−２に表示すべき表示画像を生成し、表示装置１４−１、１４−２に転送する。表示装置１４−１、１４−２は、同一のサイズ、同一の解像度を有し、並べて使用される。表示装置１４−１、１４−２は、それぞれに対して画像制御部１３から供給される表示画像を表示する。なお、本実施形態において、表示画像とは、画像データ以外にも、ウェブ画面のように画像データとテキストとが混在するような情報や、テキストのみからなる情報も含まれる。キー入力部１５は、電源スイッチや、テンキー、文字キーなどからなる。
【００１６】  ＣＰＵ１６は、ＲＯＭ１１に記憶されている所定のプログラムを実行し、各部の動作を制御する。本第１実施形態では、詳細は後述するが、表示装置１４−１、１４−２に対して１枚の表示画像を表示するモードとして、通常表示モードと補完表示モードとを備えている。通常表示モードでは、１枚の表示画像を左表示部分と右表示部分との２つに分割し、そのまま片方ずつ表示装置１４−１、１４−２に表示する。また、補完表示モードでは、１枚の表示画像のうち、表示装置１４−１、１４−２の枠部分（非表示部分）を除いた、左表示部分と右表示部分とを、そのまま片方ずつ表示装置１４−１、１４−２に表示する。通常表示モード、または補完表示モードのどちらで表示するかは、ユーザによって選択することが可能となっている。ＣＰＵ１６は、ユーザによって選択された表示モードを画像制御部１３に指示する。画像制御部１３は、ＣＰＵ１６からの指示に従って、通常表示モード、または補完表示モードの表示方法に従ってそれぞれの表示画像を生成し、表示装置１４−１、１４−２に転送する。
【００１７】  図２は、本第１実施形態の携帯端末１の外観を示す模式図である。図２において、携帯端末１は、例えば、中央部にヒンジ機構を有し、該ヒンジ機構の左右に２つの筐体２０−１、２０−２を有し、それぞれの筐体２０−１、２０−２に表示装置１４−１、１４−２が設けられた構造を有する。図２には、ヒンジ機構を中心に左右の筐体２０−１、２０−２を開いた状態を示している。表示装置１４−１、１４−２は、各々、ＦＷＶＧＡ（８５４ｘ４８０ドット）の画面サイズを有している。また、左右の筐体２０−１、２０−２には、表示装置１４−１、１４−２の周囲に枠部分を有している。これにより、左右の筐体２０−１、２０−２を開いた状態でも、表示装置１４−１と表示装置１４−２との間にはそれぞれの枠部分による非表示部分２１が生じることになる。
【００１８】  図３は、本第１実施形態による、通常表示モード時の表示例を示す模式図である。通常表示モードでは、上述したように、表示画面を２枚使用する場合に、大きな１枚絵を左表示部分、右表示部分の２つに分割し、そのまま表示装置１４−１、１４−２のそれぞれで表示する。この場合、表示装置１４−１と表示装置１４−２との間の枠部分で生じる非表示部分２１を考慮することなく、１枚絵を単純に２つに分割して表示させているため、斜め線が不連続となり、違和感を生じることになる。しかしながら、通常表示モードでは、ウェブ画面のように画像データとテキストとが混在するような情報や、テキストのみからなる情報を表示する場合には、後述する補完表示モードと異なり、一切、画像をスキップするとなく表示しているので、情報が欠落することがない。
【００１９】  図４は、本第１実施形態による、補完表示モード時の表示例を示す模式図である。補完表示モードでは、上述したように、表示画面を２枚使用する場合に、表示装置１４−１と表示装置１４−２との間の枠部分で生じる非表示部分２１を考慮し、大きな１枚絵のうち、非表示部分２１をスキップし、左表示部分、右表示部分を、表示装置１４−１、１４−２のそれぞれで表示する。この場合、表示装置１４−１と表示装置１４−２との間の枠部分で生じる非表示部分２１を考慮し、大きな１枚絵のうち、非表示部分２１をスキップして転送しているので、目が擬似的に補完することで斜め線が連続となり、違和感が軽減される。
【００２０】  図５（ａ）、（ｂ）は、本第１実施形態による、通常表示モード時の表示領域サイズの一例を示す模式図である。通常表示モードでは、図５（ａ）に示すように、表示装置１４−１、１４−２のいずれか一方に表示する場合には、表示装置１４−１、１４−２の各々の画面サイズが８５４ｘ４８０であるので、８５４ｘ４８０の表示領域となる。これに対して、図５（ｂ）に示すように、表示装置１４−１、１４−２の２つに跨いで表示する場合には、８５４ｘ９６０の表示領域となる。上述したように、通常表示モード時には、表示装置１４−１と表示装置１４−２との間の枠部分で生じる非表示部分２１を考慮しない。
【００２１】  図６は、本第１実施形態による、補完表示モード時の表示領域サイズの一例を示す模式図である。本第１実施形態による携帯端末３０は、図６の上段に示すように、表示装置１４−１、１４−２の各々の画面サイズが８５４ｘ４８０であり、表示装置１４−１と表示装置１４−２との間の枠部分である非表示部分２１が画像上の５０ドット分ある。したがって、枠部分である非表示部分２１を含め、表示装置１４−１、１４−２の２画面分に表示可能な１枚絵は、縦×横＝８５４×１０１０となる。補完表示モードでは、図６の下段に示す、１枚絵において、斜線で示す非表示部分２１が表示装置１４−１と表示装置１４−２との間の枠部分に相当し、該非表示部分２１を除く、左側の部分が表示装置１４−１に転送され、右側の部分が表示装置１４−２に転送される。
【００２２】  図７は、本第１実施形態による、補完表示モード時の一表示例を示す模式図である。図７の上段に示すように、違和感を生じさせてないためには、２画面＋非表示部分の１つの大きな画像があることを前提に画像を作成し、実際には、表示させない斜線で示す非表示部分２１を除いた領域を、図７の下段に示すように、それぞれの表示装置１４−１、１４−２へ転送することで、目が擬似的に補完して、違和感を軽減して表示することが可能となる。図７において、上段に示す破線丸２２と下段に示す破線丸２３とが同じ箇所を示しているが、いわゆる斜め線が擬似的に補完されることで、直線であるように見え、違和感が軽減されていることが分かる。
【００２３】  図８は、本第１実施形態による携帯端末の動作を説明するためのフローチャートである。ＣＰＵ１６は、まず、設定メニューを表示し（ステップＳ１０）、表示モードの変更が選択されたか否かを判別する（ステップＳ１２）。本第１実施形態では、成就したように、通常表示モード（図３）と補完表示モード（図４）とを選択可能にすることで、表示する内容（アプリケーション）に応じて、情報を欠落することなく全て表示するか、見た目の違和感が軽減されるように表示するかを選択可能としている。例えば、メールやブラウザのように、文字を読む場合には通常表示モードを選択し、静止画や動画等は補完表示モードを選択する。そして、表示モードの変更が選択されなかった場合には（ステップＳ１２のＮＯ）、当該処理を終了する。一方、表示モードの変更が選択された場合には（ステップＳ１２のＹＥＳ）、表示領域の再構築を行う（ステップＳ１４）。
【００２４】  上述したように、通常表示モードでの画像のサイズは、［８５４ｘ９６０］（図５（ｂ）を参照）であり、補完表示モードでの画像のサイズは、［８５４ｘ１０１０］（図６の下段を参照）である。補完表示モードの画像には、表示装置１４−１と表示装置１４−２との間の非表示部分２１が５０ドット分含まれる。したがって、基本的に、元画像を拡縮、トリミングなどして、上記それぞれの表示モードに対する画像を用意してもよいし、サイズ［８５４ｘ１０１０］の画像を用意し、補完表示モードでは、その画像をそのまま用い、通常表示モードでは、［８５４ｘ１０１０］の左右端を２５ドットずつカットすることで［８５４ｘ９６０］の画像を用意してもよい。
【００２５】  ＣＰＵ１５は、通常表示モードから補完表示モードへ変更する場合には、［８５４ｘ９６０］の画像から［８５４ｘ１０１０］の画像に変更する。これに対して、補完表示モードから通常表示モードへ変更する場合には、［８５４ｘ１０１０］の画像から［８５４ｘ９６０］の画像に変更する。次に、ＣＰＵ１６は、再構築された結果に従って、表示装置１４−１と表示装置１４−２とに転送する転送元の指定位置を変更する（ステップＳ１６）。画像制御部１３は、ＣＰＵ１６からの転送元の指定位置に従って、表示装置１４−１と表示装置１４−２とに画像を転送して画像を再描画する（ステップＳ１８）。
【００２６】  具体的には、画像制御部１３は、通常表示モードでは、［８５４ｘ９６０］の画像の左半分を表示装置１４−１に転送し、右半分を表示装置１４−２に転送する。この結果、図３に示すように、表示装置１４−１と表示装置１４−２とには、［８５４ｘ９６０］の画像が単純に半分ずつ表示される。但し、［８５４ｘ９６０］の画像が全て表示されており、情報が欠落することはない。
【００２７】  一方、画像制御部１３は、補完表示モードでは、［８５４ｘ１０１０］の画像のうち、非表示部分２１である［（４８０，０）（５３０，８５４）］の画像部分をスキップし、［（０，０）（４８０，８５４）］の画像を、表示装置１４−１に転送し、［（５３０，０）（１０１０，８５４）］の画像を、表示装置１４−２に転送する。この結果、図４に示すように、表示装置１４−１と表示装置１４−２とには、非表示部分２１を除く、［（０，０）（４８０，８５４）］の画像と［（５３０，０）（１０１０，８５４）］の画像とが表示される。この場合、非表示部分２１の情報が欠落するが、目が擬似的に補完することで、違和感が軽減される。
【００２８】  上述した第１実施形態によれば、違和感は残るが全ての情報を表示する通常表示モードと、表示画像が枠部分で途切れることによる違和感を軽減する補完表示モードとを用意し、表示する情報に応じて通常表示モードと補完表示モードとを切り替え可能とすることで、表示画像が枠部分で途切れることによる違和感を軽減することができるとともに、表示情報の欠落を防止することができる。
【００２９】  また、第１実施形態によれば、補完表示モードにおいて、表示装置それぞれの表示画面を作成するのではなく、非表示部分２１をスキップするように転送元を変更しているだけであるので、高速な処理を実現することができる。
【００３０】Ｂ．第２実施形態  次に、本発明の第２実施形態について説明する。なお、携帯端末１の構成については第１実施形態と同様であるので説明を省略する。  図９（ａ）、（ｂ）、本第２実施形態によるマルチ画面表示方法（右スライドモード）を説明するための模式図である。上述した第１実施形態による補完表示モードでは、１枚絵の非表示部分２１については、表示装置１４−１、１４−２への転送を行っていないが、除去しているわけでなく、［（５３０，０）（１０１０，８５４）］の画像の一部としては存在している。そのため、補完表示モードにおいて非表示部分２１を表示させたい場合には、左右のどちらからに転送領域をスライドさせることで表示することが可能となる。
【００３１】  ＣＰＵ１６は、キー入力部１５からユーザによって右スライド指示があると、画像制御部１３に対して右スライドモードでの表示を指示する。画像制御部１３は、非表示部分２１を表示装置１４−２の画面Ｂ側に表示させるべく、図９（ａ）に示す補完表示モードでの表示状態から、図９（ｂ）に示すように、非表示部分２１（５０ドット）だけ全体を右にスライドさせて表示装置１４−１、１４−２で再描画する。これにより、非表示部分２１の画像は、右方向にスライドされ、表示装置１４−２の画面Ｂに表示される（破線矩形部分）。このように、右方向にスライドさせた場合には、スライドさせた分だけ、表示装置１４−１の画面Ａの左端に欠損２５が生じるので、画像制御部１３は、システム側が用意する適切な画像を表示する（図示の例では黒としている）。
【００３２】  図１０（ａ）、（ｂ）は、本第２実施形態によるマルチ画面表示方法（左スライドモード）を説明するための模式図である。上述した右スライドモードは、左方向へのスライドにも適用可能である。すなわち、ＣＰＵ１６は、キー入力部１５からユーザによって左スライド指示があると、画像制御部１３に対して左スライドモードでの表示を指示する。画像制御部１３は、非表示部分２１を表示装置１４−１の画面Ａ側に表示させるべく、図１０（ａ）に示す補完表示モードでの表示状態から、図１０（ｂ）に示すように、非表示部分２１（５０ドット）だけ全体を左にスライドさせて表示装置１４−１、１４−２で再描画する。これにより、非表示部分２１の画像は、左方向にスライドされ、表示装置１４−１の画面Ａに表示される（破線矩形部分）。このように、左方向にスライドさせた場合には、スライドさせた分だけ、表示装置１４−２の画面Ｂの右端に欠損２６が生じるので、画像制御部１３は、システム側が用意する適切な画像を表示する（図示の例では黒としている）。
【００３３】  上述した第２実施形態によれば、情報の一部が欠落する、非表示部分２１を有する補完表示モードであっても、表示する画像全体を左右にスライドさせて非表示部分２１を表示可能としたので、表示画像が枠部分で途切れることによる違和感を軽減することができるとともに、表示情報の欠落を防止することができる。
【００３４】  なお、上述した第２実施形態では、左右のスライドについて説明したが、表示装置１４−１、１４−２を縦方向に配列した場合や、携帯端末１自体を横長で把持して用いる場合など、横方向に枠部分が位置する場合には、上下のスライドに対応させるようにしてもよい。また、上述した第２実施形態では、左右（上下）のスライド操作は、キー入力部１５からの指示入力に限らず、表示装置１４−１、１４−２の表示画面上に設けたタッチパネル上のタッチ操作であってもよい。また、上述した第２実施形態では、左右にスライドする際には、枠部分の５０ドット分だけスライドさせていたが、これに限らず、５０ドット以下、あるいは５０ドット以上スライドさせるようにしてもよい。
【００３５】  なお、本発明の実施形態では、端末装置として携帯電話に適用した例であるが、本発明はこれに限定されるものではなく、複数の表示装置で１つの大きな画面を構成可能な電子機器であれば、例えば、スマートフォン、ＰＤＡ（Ｐｅｒｓｏｎａｌ  Ｄａｔａ  Ａｓｓｉｓｔａｎｔｓ）や、タブレット端末、マルチ画面のパーソナルコンピュータ、電子書籍機器、その他の電子機器等にも幅広く適用できる。
【００３６】  この出願は、２０１２年１２月１９日に出願された日本出願特願２０１２−２７６６０６号を基礎とする優先権を主張し、その開示を全てここに取り込む。
【００３７】  以下、本発明の特徴を付記する。  上記の実施形態の一部又は全部は、以下の付記のようにも記載されうるが、以下には限られない。    （付記１）  図１２は、付記１の構成図である。この図に示すように、付記１記載の発明は、  表示画面と該表示画面を囲繞する枠部とを有し、該枠部同士を接するようにして配列された複数の表示装置３０−１、３０−２と、  １つの表示画像を前記複数の表示装置３０−１、３０−２の各々の表示画面サイズに合わせて分割し、該分割した表示画像を前記複数の表示装置３０−１、３０−２の各々に転送することによって、前記複数の表示装置３０−１、３０−２の表示画面で前記１つの表示画像を表示させる通常表示モードと、前記１つの表示画像を、前記枠部で生じる非表示部分３１の画像をスキップして、前記複数の表示装置３０−１、３０−２の各々の表示画面サイズに合わせて分割し、該分割した表示画像を前記複数の表示装置３０−１、３０−２の各々に転送することによって、前記複数の表示装置３０−１、３０−２の表示画面で前記１つの表示画像を表示させる補完表示モードとを切り替え可能に実行する画像制御部３２と  を備えることを特徴とする携帯端末である。  である。
【００３８】    （付記２）  前記画像制御部は、前記補完表示モードで表示している際に、前記枠部に直交する方向へのスライド指示操作があった場合、前記枠部で生じる非表示部分の画像を含む前記１つの表示画像を、前記スライド指示操作に従ってスライドさせることによって、前記枠部で生じる非表示部分の画像を前記複数の表示装置の表示画面で表示させることを特徴とする付記１に記載の携帯端末である。
【００３９】    （付記３）  前記画像制御部は、前記枠部で生じる非表示部分の画像を含む前記１つの表示画像を、前記スライド指示操作に従ってスライドさせる際に、少なくとも前記枠部で生じる非表示部分の画像分スライドさせることを特徴とする付記２に記載の携帯端末である。
【００４０】    （付記４）  表示画面と該表示画面を囲繞する枠部とを有し、該枠部同士を接するようにして配列された複数の表示装置で構成される表示画面に対して１つの表示画像を表示する表示制御方法であって、前記１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モードステップと、前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モードステップと、前記通常表示モードステップと前記補完表示モードとステップとを選択的に切り替えるステップとを含むことを特徴とする表示制御方法である。
【００４１】    （付記５）  表示画面と該表示画面を囲繞する枠部とを有し、該枠部同士を接するようにして配列された複数の表示装置で構成される表示画面に対して１つの表示画像を表示する携帯端末のコンピュータに、前記１つの表示画像を前記複数の表示装置の各々の表示画面サイズに合わせて分割し、該分割した表示画像を前記複数の表示装置の各々に転送することによって、前記複数の表示装置の表示画面で前記１つの表示画像を表示させる通常表示モード機能、前記１つの表示画像を、前記枠部で生じる非表示部分の画像をスキップして、前記複数の表示装置の各々の表示画面サイズに合わせて分割し、該分割した表示画像を前記複数の表示装置の各々に転送することによって、前記複数の表示装置の表示画面で前記１つの表示画像を表示させる補完表示モード機能、前記通常表示モード機能と前記補完表示モード機能とを選択的に切り替える機能を実行させることを特徴とするプログラムである。
【符号の説明】
【００４２】  １  携帯端末  １０  通信制御部  １１  ＲＯＭ  １２  ＲＡＭ  １３  画像制御部  １４−１、１４−２  表示装置  １５  キー入力部  １６  ＣＰＵ  ２１  非表示部分 
【図１】
2014097505.tif 000003
【図２】
2014097505.tif 000004
【図３】
2014097505.tif 000005
【図４】
2014097505.tif 000006
【図５】
2014097505.tif 000007
【図６】
2014097505.tif 000008
【図７】
2014097505.tif 000009
【図８】
2014097505.tif 000010
【図９】
2014097505.tif 000011
【図１０】
2014097505.tif 000012
【図１１】
2014097505.tif 000013
【図１２】
2014097505.tif 000014
【国際調査報告】
2014097505.tif 000015
2014097505.tif 000016
2014097505.tif 000017
2014097505.tif 000018